(57)【要約】  より確実にフラップを開閉できるパッケージに関する技術を提供する。本発明は、外箱と、外箱内を上下方向にスライド自在であり、被収容物を収容する内箱と、内箱の開口を覆い、スライドに連動して開閉する蓋と、スライドに連動して蓋を開閉する蓋の開閉部と、外箱の開口に設けられ、スライドに連動して開閉するフラップと、スライドに連動してフラップを開閉するフラップの開閉部と、を備え、フラップの開閉部は、フラップに連なり、先端が上向きの舌片を含むフラップの係合部と、内箱に設けられ、フラップの係合部の舌片を受け入れる開口を含み、スライドの際にフラップの係合部と係合するフラップの被係合部とを有する。
2016030995.tif 000002
【特許請求の範囲】
【請求項１】
上部に開口を有する略直方体形状の外箱と、
前記外箱内を上下方向にスライド自在であり、被収容物を収容し、被収容物を取り出す開口を有する略直方体形状の内箱と、
前記内箱の開口を覆い、前記スライドに連動して開閉する蓋と、
前記スライドに連動して前記蓋を開閉する蓋の開閉部と、
前記外箱の開口に設けられ、前記スライドに連動して開閉するフラップと、
前記スライドに連動して前記フラップを開閉するフラップの開閉部と、を備え、
前記フラップの開閉部は、前記フラップに連なり、先端が上向きの舌片を含むフラップの係合部と、前記内箱に設けられ、前記フラップの係合部の舌片を受け入れる開口を含み、前記スライドの際に前記フラップの係合部と係合するフラップの被係合部とを有する、パッケージ。
【請求項２】
前記内箱が下降し、前記フラップの被係合部の開口に前記フラップの係合部の舌片が収容され、前記フラップの係合部と前記フラップの被係合部が係合すると、前記フラップの係合部が下降し、当該フラップの係合部の下降に連動して当該フラップの係合部に連なる前記フラップが閉状態となる、請求項１に記載のパッケージ。
【請求項３】
前記フラップの被係合部は、当該フラップの被係合部の開口の一部が前記フラップの係合部の舌片側に膨らんでいる、請求項２に記載のパッケージ。
【請求項４】
前記フラップの係合部の舌片は、先端がラウンド形状である、請求項１から３の何れか１項に記載のパッケージ。
【請求項５】
前記蓋の開閉部は、前記外箱に設けられ、先端が下向きの舌片を含む蓋の係合部と、前記蓋に連なり、前記蓋の係合部の舌片を受け入れる開口を含み、前記スライドの際に前記蓋の係合部と係合する蓋の被係合部とを有する、請求項１から４の何れか１項に記載のパッケージ。
【発明の詳細な説明】
【技術分野】
【０００１】
本発明は、パッケージに関する。
【背景技術】
【０００２】
従来、たばこ商品等の被収容物を収容するパッケージ（包装）として、ソフトパック型パッケージ、ハード型パッケージ等が公知である。ハード型パッケージの１つの形態として、蓋（リッド）を備えたパッケージが知られている。この種のパッケージは、通常、ボックス状の外形を有し、シガレット束を収容する収容部と、収容部の上部に形成される開口端を開閉するための蓋が、開口端の縁部に沿って設けられるヒンジを介して回動自在に連結されている。【０００３】
蓋がヒンジを介して回転するパッケージの中にはたばこ物品群を収容する内箱と外箱のスライド動作により蓋の開閉を行うパッケージがある。その一例として、特許文献１には、たばこ物品群を収容し、開いた上端部を有する内側容器であって、ヒンジに沿って内側容器にヒンジ式に設けられ前記開いた上端部を閉じる蓋を含む、内側容器と、前記内側容器を収容する外側容器であって、前記内側容器が外側容器の内部に挿入される閉構成と前記内側容器が外側容器から部分的に抜き出される開構成との間で外側容器に対して前記内側容器がスライドすることを可能にする、外側容器と、前記外側容器の前壁の上縁部にヒンジ式に設けられた封止フラップであって、封止フラップが前記外側容器の前記前壁に対して直角であり、前記内側容器の前記蓋の上壁の下に位置する動作位置と、封止フラップが前記外側容器の前記前壁に平行な休止位置との間で可動である、封止フラップとを含む、たばこ物品パッケージが開示されている。このパッケージは、前記内側容器の前壁と一体化され前記外側容器の前記前壁に向かって突出する第１の作動タブと、前記封止フラップに機械的に連結されており、前記外側容器の前記前壁と前記内側容器の前記前壁との間に位置し、前記内側容器が前記閉構成へと動くとき、前記第１の作動タブにより係合され、前記内側容器の動きを用いて前記封止フラップを前記動作位置に引き込む、第２の作動タブとを含む。【０００４】
また、特許文献２には、上部に出し入れ口を有した直方体状の外箱と、前記外箱にスライド可能に収容して前記出し入れ口で出入可能とされ、蓋下部が第一ヒンジを介して連結された開閉蓋を回動可能にして有する内箱とからなり、上部が前記開閉蓋の後端に第二ヒンジを介して連結されて開閉蓋の回動に伴なって内箱に対し相対移動可能とされ、外箱内面に面する側に内箱係止手段を配した蓋起こし手段と、前記外箱の内側に位置し前記内箱係止手段と係合可能な外箱係止手段とを備え、前記内箱の上昇により内箱係止手段と外箱係止手段とが係合し、内箱係止手段と外箱係止手段とが係合した状態での内箱上昇により蓋起こし手段が下方に移動して、前記開閉蓋が開方向に回動する構成とした開閉蓋付き包装容器が開示されている。この開閉蓋付き包装容器は、前記内箱の蓋起こし手段側となる側板には、該蓋起こし手段の周りに対応する部分が切り込み開口されていて、この切り込み開口の一部分に、前記内箱係止手段の高さ位置より下方であって、外箱係止手段の降下下限位置に配された切り込み縁を上端縁とするストッパーが形成され、前記外箱係止手段はストッパーの幅より幅広であって、前記内箱の上昇によりストッパーが近接する外箱係止手段のストッパー対応部分の少なくとも一部分が、ストッパーである前記切り込み縁に当接する。
【先行技術文献】
【特許文献】
【０００５】
【特許文献１】ＷＯ２０１３／０６８９５９号パンフレット
【特許文献２】特開２０１３−１５９３５１号公報
【発明の概要】
【発明が解決しようとする課題】
【０００６】
従来技術として、外箱と、外箱内にスライド自在に収容され、スライドに連動して開閉する蓋を有する内箱と、外箱に設けられ、スライドに連動して開閉するフラップとを備えるパッケージがある。このような従来のパッケージによれば、フラップを備えることで、被収容物（例えば、シガレットの刻片）の漏出を抑制することができる。一方、蓋やフラップは、スライドに連動して開閉するため、外箱と内箱との係合部分が確実に係合されていないと、蓋やフラップが開閉できなくなってしまう。また、係合部分の構造が複雑化すると、製造上の誤差により、本来の機能（蓋やフラップの開閉）が実現できないことも想定される。なお、上記課題は、シガレットを収容するパッケージに限らず、シガレット以外の被収容物を収容するパッケージにおいても存在する。【０００７】
本発明は、上記の問題に鑑み、外箱と、外箱内をスライド自在であり、スライドに連動して開閉する蓋を有する内箱と、外箱に設けられ、スライドに連動して開閉するフラップとを備えるパッケージに関し、より確実にフラップを開閉できるパッケージに関する技術を提供することを課題とする。
【課題を解決するための手段】
【０００８】
本発明は、上述した課題を解決するため、フラップを開閉するフラップの開閉部の構成を工夫することとした。詳細には、本発明に係るパッケージは、上部に開口を有する略直方体形状の外箱と、前記外箱内を上下方向にスライド自在であり、被収容物を収容し、被収容物を取り出す開口を有する略直方体形状の内箱と、前記内箱の開口を覆い、前記スライドに連動して開閉する蓋と、前記スライドに連動して前記蓋を開閉する蓋の開閉部と、前記外箱の開口に設けられ、前記スライドに連動して開閉する、前記被収容物の漏出を抑制するフラップと、前記スライドに連動して前記フラップを開閉するフラップの開閉部と、を備え、前記フラップの開閉部は、前記フラップに連なり、先端が上向きの舌片を含むフラップの係合部と、前記内箱に設けられ、前記フラップの係合部の舌片を受け入れる開口を含み、前記スライドの際に前記フラップの係合部と係合するフラップの被係合部とを有する。【０００９】
本発明に係るパッケージによれば、上記のようなフラップの開閉部を備えることで、従来よりも確実にフラップを開閉できる。例えば、特許文献１に記載のパッケージでは、内側容器の前壁の上端に連なり１８０度折り曲げられたリフト・タブに設けられた先端が下向きの第１の作動タブが、封止フラップに連なる第２作動タブの貫通開口部と係合して、封止フラップが開閉する。しかしながら、このような従来のパッケージは、第１の作動タブが１８０度折り曲げられたリフト・タブに連なる構成であり、本来、第１の作動タブの先端は下向きである必要があるものの、リフト・タブの復元力によって横向きや上向きに成りやすい傾向があった。第１作動タブの先端が上向きになってしまうと、第２作動タブの貫通開口部と係合しなくなってしまう。また、内側容器は、製造において、成形後の乾燥工程を経て、外側容器と組み合わされるが、第１の作動タブが横向きになってしまうと、搬送工程において第１の作動タブが接触などによって折れ曲がってしまうことがあった。仮に、第１作動タブが折れ曲がると、第２作動タブの貫通開口部と係合しなくなってしまう。【００１０】
本発明に係るパッケージでは、フラップに連なるフラップの係合部に舌片を設け、更に、このフラップの係合部の舌片の先端を上向きとした。これにより、フラップの係合部の舌片が、本来の機能を発揮すべき正しい姿勢である、上向きの姿勢を維持し易くなった。換言すると、フラップの係合部の舌片は、例えば、復元力等によって横向きや下向きになり難くなった。したがって、本発明に係るパッケージでは、フラップの係合部の舌片が、本来の機能を発揮する正しい姿勢を維持するので、フラップの係合部とフラップの被係合部との係合が確実に行われる。その結果、従来よりも確実にフラップを開閉することができる。フラップが確実に閉じることで、被収容物の漏出を抑制することができる。【００１１】
本発明に係るパッケージでは、前記内箱が下降し、前記フラップの被係合部の開口に前記フラップの係合部の舌片が収容され、前記フラップの係合部と前記フラップの被係合部が係合すると、前記フラップの係合部が下降し、当該フラップの係合部の下降に連動して当該フラップの係合部に連なる前記フラップを閉状態とすることができる。一方、フラップを開状態とする場合、内箱が上昇し、前記フラップの被係合部の開口に収容されていた前記フラップ係合部の舌片がフラップの被係合部の開口から離脱し、前記内箱の一部（例えば、内箱の前壁）が前記フラップと接してフラップを回動させることでフラップを開状態とすることができる。【００１２】
また、前記フラップの被係合部は、当該フラップの被係合部の開口の一部が前記フラップの係合部の舌片側に膨らんでいる構成とすることができる。前記フラップの被係合部は、前記フラップの係合部の舌片を受け入れるため、前記フラップの係合部の舌片側に膨らんでいる構成とすることができる。これにより、フラップの係合部の舌片がフラップの被係合部の開口に進入し易くなり、フラップの係合部とフラップの被係合部との係合をより確実にすることができる。【００１３】
また、前記フラップの係合部の舌片は、先端をラウンド形状とすることができる。先端をラウンド形状とすることで、強度が増し、また、フラップの係合部の舌片がフラップの被係合部の開口により進入し易くなる。【００１４】
フラップの係合部の舌片の形状、大きさ、幅等や、フラップの被係合部の開口の形状、大きさ、幅等は、強度を考慮して設計することができる。例えば、フラップの係合部の舌片の幅は、相対的に幅広とすることで強度を向上することができる。但し、フラップの係合部の舌片を幅広にすると、フラップの被係合部の開口を更に大きくする必要が生じる。開口面積が大きくなると開口の周囲の強度の低下が懸念される。したがって、フラップの係合部の舌片の形状、大きさ、幅等や、フラップの被係合部の開口の形状、大きさ、幅等は、双方の強度を考慮して設計した方がよい。【００１５】
また、本発明に係るパッケージにおいて、前記外箱は、前記内箱の一部を表出させる操作口を備える構成とすることができる。この操作口を通じて、内箱を上下方向にスライドさせることができる。【００１６】
また、前記蓋の開閉部は、前記外箱に設けられ、先端が下向きの舌片を含む蓋の係合部と、前記蓋に連なり、前記蓋の係合部の舌片を受け入れる開口を含み、前記スライドの際に前記蓋の係合部と係合する蓋の被係合部とを有する構成とすることができる。これにより、確実に蓋を開閉することができる。【００１７】
本発明に係るパッケージでは、前記内箱が上昇し、前記蓋の被係合部の開口に前記蓋の係合部の舌片が収容され、前記蓋の係合部と前記蓋の被係合部が係合すると、前記蓋の係合部が下降し、当該蓋の係合部の下降に連動して前記蓋の被係合部に連なる前記蓋を開状態とすることができる。一方、前記蓋を閉状態とする場合、前記内箱が下降し、前記蓋の被係合部の開口に収容されていた前記蓋の係合部の舌片が前記蓋の被係合部の開口から離脱し、前記外箱の一部（例えば、外箱の後壁）が前記蓋と接して蓋を回動させることで蓋を閉状態とすることができる。【００１８】
パッケージの内箱に収容する被収容物は特に限定されるものではないが、棒状物品の集合体、例えばたばこ商品を被収容物として好適に例示できる。すなわち、本発明に係る被収容物はたばこ商品であってもよい。なお、たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００１９】
なお、本発明における課題を解決するための手段は、可能な限り組み合わせて採用することができる。
【発明の効果】
【００２０】
本発明によれば、外箱と、外箱内をスライド自在であり、スライドに連動して開閉する蓋を有する内箱と、外箱に設けられ、スライドに連動して開閉するフラップとを備えるパッケージに関し、より確実にフラップを開閉できるパッケージに関する技術を提供することができる。
【図面の簡単な説明】
【００２１】
【図１】図１は、実施形態に係るパッケージを前方上部から見た透視斜視図であり、パッケージの開状態を示す。
【図２】図２は、実施形態に係るパッケージを前方上部から見た透視斜視図であり、パッケージの閉状態を示す。
【図３】図３は、実施形態に係るパッケージを後方上部から見た透視斜視図であり、パッケージの開状態を示す。
【図４】図４は、実施形態に係るパッケージを後方上方から見た透視斜視図であり、パッケージの閉状態を示す。
【図５】図５は、実施形態に係るパッケージを前方上部から見た動作説明図を示す。
【図６】図６は、実施形態に係るパッケージを前方上部から見た動作説明図を示す。
【図７】図７は、実施形態に係るパッケージを後方から見た動作説明図を示す。
【図８】図８は、実施形態に係るパッケージの断面による動作説明図を示す。
【図９】図９は、実施形態に係るパッケージのうち、内箱のブランクを示す。
【図１０】図１０は、実施形態に係るパッケージのうち、外箱のブランクを示す。
【図１１】図１１は、実施形態に係るパッケージのうち、内箱のブランクの組立手順を示す。
【図１２】図１２は、実施形態に係るパッケージのうち、外箱のブランクの組立手順を示す。
【図１３】図１３は、第１ブランクＢ１の変形例を示す。
【発明を実施するための形態】
【００２２】
次に、本発明に係るパッケージの実施形態について、図面に基づいて説明する。本発明が適用されるパッケージに収容する被収容物は特定のものに限定されないが、ここでは、フィルタシガレットや両切シガレット等のたばこ商品をパッケージに収容する場合を例に説明する。また、本実施形態に記載されている構成要素の、材質、形状、その相対配置等は、特に特定的な記載がない限りは、発明の技術的範囲をそれらのみに限定する趣旨のものではない。
【００２３】
＜実施形態＞
図１から図４に示すように、実施形態に係るパッケージ１は、外箱４と内箱２を有する。内箱２は、外箱４に設けられた操作口４５から上下方向にスライド自在である。内箱２には蓋３が設けられており、この蓋３は、スライドに連動して開閉する。また、外箱の前壁４３の上端縁には、フラップ４６が設けられており、このフラップ４６もスライドに連動して開閉する。パッケージ１が閉状態（全閉状態）では、蓋３が内箱２の開口を覆う。また、フラップ４６も蓋３の一部と重なるように内箱２の開口の一部を覆う。そのため、実施形態に係るパッケージ１では、シガレットの刻片の漏出を抑制することができる。
【００２４】
なお、以下、本明細書では、特に言及する場合を除いて、パッケージ１の正面側を“前方”と定義し、背面側を“後方”と定義する。また、パッケージ１の蓋側を“上方”と定義し、反対側（パッケージの底側）を“下方”と定義する。また、パッケージ１の側壁側を“側方”又は“横方向”と定義する。実施形態に係るパッケージ１は、例えばカード紙、マニラボール紙等紙材によって構成することができるが、これには限定されない。例えば、実施形態に係るパッケージ１は、プラスチックシートなどの樹脂で構成してもよい。
【００２５】
＜＜内箱＞＞
内箱２は、直方体形状の箱体で、内部にシガレットを収容する。側方の上部が斜めに切り欠かれ、更に、前方上部にＵ字状の切欠き２３１が形成されている。内箱２は、内箱の前壁２３、内箱の後壁２１、内箱の側壁２４、内箱の下壁２２を有する。内箱２の上部は開口しており、内箱の後壁２１の上端縁に回動自在に接続された蓋３によって開口を塞ぐことが可能になっている。内箱の前壁２３と内箱の後壁２１は対向している。一組の内箱の側壁２４は、内箱の前壁２３及び内箱の後壁２１の両側縁と連結され、長方形の上端が斜辺となった形状である。内箱の側壁２４の上端縁２４１は、内箱の前壁２３側が低くなるように傾斜している。内箱の下壁２２は、長方形であり、内箱の前壁２３、内箱の後壁２１、及び内箱の側壁２４の下端縁に連結されている。
【００２６】
内箱の前壁２３は、縦長の長方形であるが、上部にＵ字状の切欠き２３１が形成されている。内箱の前壁２３の上端縁２３５は、中央に向かって徐々に低くなるように傾斜している。また、Ｕ字状の切欠き２３１の両側に位置する内箱の前壁２３の上端縁２３５の中央側の端部は、ラウンド形状となっている。内箱の前壁２３の上端縁２３５は、フラップ４６を開状態とする機能を有する。換言すると、内箱の前壁２３の上端縁２３５は、本発明のフラップの開閉部の機能の一部を担う。内箱の前壁２３の上端縁２３５は、内箱２が上昇すると、フラップ４６と接し、閉状態において水平状態であるフラップ４６を押し上げて徐々に立ち上げ、外箱の前壁４３の上端縁のフラップのヒンジＨ１１を軸にフラップ４６を回動させ、フラップ４６を開状態とする。なお、内箱の前壁２３の上端縁２３５は、傾斜することで、フラップ４６を押し上げ易く構成されている。但し、内箱の前壁２３の上端縁２３５は、例えば、水平でもよく、形状は特に限定されない。
【００２７】
Ｕ字状の切欠き２３１の下方近傍（内箱の前壁２３の上端縁２３５の下方近傍）には、フラップの係合部４６３と係合するフラップの被係合部２３０が設けられている。フラップの被係合部２３０は、フラップの被係合部の開口２３２、フラップの被係合部の開口の一部２３３を含む。実施形態に係るフラップの被係合部の開口２３２は、五角形の切欠き（ホームベース型の切欠き）によって構成されている。フラップの被係合部の開口２３２は、外箱４に設けられたフラップの係合部の舌片４６５を収容する。内箱の前壁２３の上端縁２３５のうち、Ｕ字状の切欠き２３１の底に相当する領域には、内箱の前壁２３の上端縁２３５を基準に内側に１８０度折り返された、Ｔ字状の折返し片２３４が連なっている。折返し片２３４が折り返されることで、内箱の前壁２３の上端縁２３５とフラップの被係合部の開口２３２（五角形の切欠き）との間に形成されたフラップの被係合部の開口の一部２３３が外側に僅かに膨らんでいる。その結果、フラップの被係合部の開口の一部２３３と折返し片２３４との間に隙間が形成される。これにより、外箱のフラップの係合部の舌片４６５は、内箱２を下降させた際に、フラップの被係合部の開口２３２に進入し易くなる。なお、実施形態に係るフラップの被係合部の開口２３２は、五角形の切欠きによって構成されているが、四角形や他の多角形でもよい。
【００２８】
内箱の後壁２１は、縦長の長方形であり、上部に四角形の切欠き２１１が形成されている。四角形の切欠き２１１には、蓋３に連なる蓋の被係合部３１０が位置している。四角形の切欠き２１１の両側に位置する、内箱の後壁２１の上端縁には、蓋３が連なっている。内箱の後壁２１と蓋の後壁３１との境界には、蓋の第１ヒンジＨ１が形成されている。蓋の第１ヒンジＨ１は、後部間に亘って延伸し、蓋３の回動軸として機能する。内箱の後壁２１の内側には、四角形の切欠き２１１を内側から覆うように内側プレート２１２が設けられている。内側プレート２１２は、蓋の上壁に連なる領域を折り返すことで形成されている。
【００２９】
＜＜蓋＞＞
蓋３は、内箱２の開口を覆う。蓋３は、蓋の後壁３１、蓋の上壁３２、蓋の側壁３４を有する。蓋の後壁３１は、蓋の第１ヒンジＨ１を介して、内箱の後壁２１の上端縁に連なっている。蓋の上壁３２は、長方形であり、閉状態では内箱の下壁２２と対向する。蓋の上壁３２は、蓋の後壁３１の上端縁、及び蓋の側壁３４の上端縁に連結されている。また、蓋の上壁３２の後方の縁には、蓋の被係合部３１０が連なっている。一組の蓋の側壁３４は、直角三角形の斜辺を外側に湾曲させた形状であり、対向している。蓋の側壁３４は、蓋３が閉状態において、内箱の側壁２４の上部と重なるように構成されている。これにより、蓋３の側方からのシガレットの刻片の漏出を抑制することができる。
【００３０】
蓋の被係合部３１０は、外箱４に設けられた蓋の係合部４１０と係合し、蓋３を開状態とする。蓋の被係合部３１０は、蓋の被係合部の上部３１１、蓋の被係合部の中間部３１２、蓋の被係合部の下部３１３によって構成されている。蓋の被係合部の上部３１１は、台形状であり、上端縁が蓋の上壁３２の後方縁に連なっている。蓋の被係合部の上部３１１は、上端縁よりも下端縁が短く形成されている。蓋の上壁３２と蓋の被係合部の上部３１１とは、蓋の第２ヒンジＨ２によって、ヒンジ結合されている。なお、蓋の被係合部の上部３１１は、例えば、長方形でもよく、形状は特に限定されない。
【００３１】
蓋の被係合部の中間部３１２は、蓋の被係合部の上部３１１の下端縁に連なり、中央に蓋の被係合部の開口３１４が形成されている。蓋の被係合部の上部３１１と、蓋の被係合部の中間部３１２は、蓋の第３ヒンジＨ３によって、ヒンジ結合されている。なお、実施形態に係る蓋の被係合部の開口３１４は、長方形であるが、例えば、台形状でもよく、形状は特に限定されない。
【００３２】
蓋の被係合部の下部３１３は、蓋の被係合部の中間部３１２から下方に延出した領域が折り返されることで形成された折返し部３１５と、折返し部３１５に連なり、かつ下方に延びる案内フラップ３１６によって構成されている。折返し部３１５は、蓋の被係合部の中間部３１２の下方に延出する領域が折り返されること形成されており、復元力によって先端が斜め上方を指している。そのため、蓋の被係合部の中間部３１２と折返し部３１５との間には、空隙が形成され、外箱４に設けられた蓋の係合部の舌片４１２が進入し易くなっている。実施形態に係る折返し部３１５は、上端縁が下端縁によりも短い台形状である。案内フラップ３１６は、蓋の被係合部３１０を下方に案内する。案内フラップ３１６の先端は、内箱の後壁２１と内箱の後壁２１の内側に位置する内箱の内側プレート２１２との間に挿入されている。そのため、案内フラップ３１６の先端は、内箱の後壁２１と内箱の内側プレート２１２との間を上下方向に移動する。実施形態に係る案内フラップ３１６は、縦長の長方形である。なお、折返し部３１５は、長方形やラウンド形状としてもよく、形状は特に限定されない。また、案内フラップ３１６は、先端に向けて幅を狭くするなどしてもよく、形状は特に限定されない。
【００３３】
＜＜外箱＞＞
外箱４は、内箱２をスライド自在に収容する。外箱４は、外箱の前壁４３、外箱の後壁４１、外箱の側壁４４、外箱の下壁４２を有する。外箱４の上部は開口しており、この外箱の開口から内箱２の出し入れが自在である。外箱の前壁４３と外箱の後壁４１は対向している。一組の外箱の側壁４４は、外箱の前壁４３及び外箱の後壁４１の両側縁と連結されている。外箱の下壁４２は、長方形であり、外箱の前壁４３、外箱の後壁４１、及び外箱の側壁４４の下端縁に夫々連結されている。
【００３４】
外箱の後壁４１の上端縁４１１は、蓋３を閉状態とする機能を有する。換言すると、外箱の後壁４１の上端縁４１１は、本発明の蓋の開閉部の機能の一部を担う。外箱の後壁４１の上端縁４１１は、内箱が下降すると、外箱の後壁４１の上端縁４１１が蓋の被係合部の上部３１１及び蓋の被係合部の上部３１１の両側に位置する蓋の後壁３１と接して、蓋の被係合部の上部３１１及び蓋３を押し上げる。換言すると、蓋３には、外箱の後壁４１の上端縁４１１に作用する上向きの力によって、蓋の第１ヒンジＨ１を回動軸とした回転力が作用する。その結果、蓋３は、蓋の第１ヒンジＨ１を回動軸として、閉じる方向に回動する。
【００３５】
また、外箱の後壁４１の上端縁４１１には、蓋の係合部４１０が連なっている。蓋の係合部４１０は、外箱の後壁４１の上方に延出した領域が内側に折り返されることで形成され、ラウンド形状である。蓋の係合部４１０の先端には、半円形状の、蓋の係合部の舌片４１２が更に連なっている。蓋の係合部の舌片４１２は、内箱２が上昇する際、内箱２に設けられた蓋の被係合部の開口３１４に進入する。その結果、蓋の係合部４１０と蓋の被係合部３１０が係合し、蓋３が開状態となる。蓋の係合部４１０は、外箱の後壁４１の上方に延出する領域が内側に折り返されることで形成されていることから、蓋の係合部４１０には復元力が作用している。そのため、蓋の係合部４１０に連なる蓋の係合部の舌片４１２の先端は、斜め下方を指しており、内箱２に設けられた蓋の被係合部の開口３１４に進入し易くなっている。
【００３６】
外箱の前壁４３には、操作口４５が形成され、また、外箱の前壁４３の上端縁には、フラップ４６が連なっている。操作口４５は、縦長の長方形の開口であり、外箱４内に収容される内箱２の表面の一部を表出させる。実施形態では、操作口４５が、外箱の前壁４３と一方の外箱の側壁４４との境界（外箱４の角部）を跨ぐように形成されている。操作口４５から表出した内箱２に例えば指先を当て、上下させることで、内箱２のスライドが可能となる。なお、操作口４５は、例えば外箱の側壁４４や外箱の後壁４１に設けてもよく、形状も他の多角形状や円形としてもよい。このように、操作口４５の形状や位置は、特に限定されない。また、内箱２のうち、操作口４５が表出する領域には、指先が滑り難くするための加工（凹凸加工、シボ加工など）を施してもよい。
【００３７】
フラップ４６は、外箱の前壁４３の上端縁に設けられ、スライドに連動して開閉する。フラップ４６は、外箱の前壁４３の上端縁に設けられており、閉状態において、内箱２の前方からのシガレットの刻片の漏出を抑制する。フラップ４６は、外箱の前壁４３の上方の延出部分を折り返すことで形成され、外側に位置する外側フラップ４６１と内側に位置する内側フラップ４６２とによって構成されている。外箱の前壁４３と外側フラップ４６１とは、幅方向に延びるフラップのヒンジＨ１１によってヒンジ結合されている。これにより、フラップ４６は、フラップのヒンジＨ１１を回動軸として開閉自在となっている。
【００３８】
フラップ４６（内側フラップ４６２）には、フラップの係合部４６３が連なっている。フラップの係合部４６３は、Ｔ字状であり、先端中央にフラップの係合部の開口４６４が形成されている。フラップの係合部の開口４６４は、四角形であり、フラップの係合部の開口４６４には、先端が上向きのフラップの係合部の舌片４６５が形成されている。フラップの係合部の舌片４６５の先端は、ラウンド形状である。また、フラップの係合部の舌片４６５は、先端が斜め上方を指すように形成されている。そのため、内箱２が下降した際に、外側に僅かに膨らむ、内箱２に形成されたフラップの被係合部の開口の一部２３３に進入し易くなっている。
【００３９】
なお、フラップの係合部の舌片４６５の先端をラウンド形状とすることで強度が増し、また、フラップの係合部の舌片４６５がフラップの被係合部の開口の一部２３３により進入し易くなる。但し、フラップの係合部の舌片４６５は、例えば三角形や四角形など多角形でもよく、形状は特に限定されない。また、例えば、フラップの係合部の舌片４６５は、蓋の被係合部の下部３１３のように、フラップの係合部４６３の先端を折り返して形成し、復元力を利用して、先端が斜め上方をより指しやすいように構成してもよい。
【００４０】
＜＜動作＞＞
次に、図５から図８に基づいて、パッケージ１の動作について説明する。実施形態に係るパッケージ１は、内箱２の昇降（外箱４内での内箱２のスライド）に連動して、蓋３及びフラップ４６が開閉される。図５から図８における（ａ）から（ｅ）は、夫々対応している。（ａ）は、蓋３が全閉状態のパッケージ１を示す。パッケージ１に収容されているシガレットを取り出す必要が無い場合、通常、パッケージ１は、この全閉状態である。（ｅ）は、蓋３が全開状態のパッケージ１を示す。パッケージ１に収容されているシガレットを取り出す場合、蓋３が全開状態、若しくはこれに近い状態とされる。（ｂ）〜（ｄ）は、閉状態と開状態との間の状態を段階的に示す。
【００４１】
＜＜閉状態→開状態＞＞
まず、閉状態から開状態とする場合について説明する。図５（ａ）、図６（ａ）、図７（ａ）、図８（ａ）に示すように、全閉状態では、内箱の下壁２２が外箱の下壁に接するか、近接しており、内箱２は、外箱４内に収容されている。
【００４２】
全閉状態では、蓋の上壁３２が水平であり、蓋の上壁３２が内箱２の上部の開口を覆っている。また、蓋３に設けられた蓋の被係合部３１０と、外箱４に設けられた蓋の係合部４１０は、非係合状態である。具体的には、蓋の係合部の舌片４１２の下方に蓋の被係合部３１０の折返し部３１５が位置している。
【００４３】
また、全閉状態では、フラップ４６は、水平であり、蓋３の前方側において、蓋３の内側（下側）に重なっている。また、外箱４に設けられたフラップの係合部４６３と、内箱２に設けられたフラップの被係合部２３０は、係合状態である。具体的には、フラップの被係合部の開口の一部２３３に、フラップの係合部の舌片４６５が進入している。全閉状態では、フラップの係合部４６３には、下向きの力が作用している。その結果、フラップ４６には、フラップ４６に連なるフラップの係合部４６３に作用する下向きの力が作用するので、水平状態が維持される。また、フラップ４６は、蓋の上壁３２の下側に位置しているため、蓋３の存在によっても、水平状態が維持される。
【００４４】
また、閉状態では、外箱の側壁４４の内側に蓋の側壁３４が重なっている。このように実施形態に係るパッケージ１は、シガレットの刻片の漏出が想定される、内箱２の開口の側方及び前方が、二重構造になっている。そのため、内箱２の開口の側方及び前方が、二重構造でない場合と比較して、シガレットの刻片の漏出を抑制することができる。
【００４５】
図５（ｂ）〜（ｄ）、図６（ｂ）〜（ｄ）、図７（ｂ）〜（ｄ）、図８（ｂ）〜（ｄ）に示すように、操作口４５を通じて、例えば親指で内箱２に対して上向きの力を加えると、内箱２が外箱４内で上昇し始める。内箱２が上昇すると、蓋の被係合部３１０も上昇する。蓋の被係合部３１０が上昇すると、外箱４に設けられた蓋の係合部４１０と蓋の被係合部３１０が徐々に近づき、蓋の被係合部３１０と蓋の係合部４１０が係合する。蓋の被係合部３１０は、折返し部３１５の先端が斜め上方を指しており、蓋の被係合部の中間部３１２と折返し部３１５との間には、空隙が形成されている。また、蓋の係合部の舌片４１２の先端は、斜め下方を指している。そのため、蓋の係合部の舌片４１２は、蓋の被係合部の中間部３１２と折返し部３１５との間の空隙から、蓋の被係合部の開口３１４内に容易に進入することができる。
【００４６】
蓋の被係合部３１０と蓋の係合部４１０とが係合すると、内箱２が更に上昇しても、蓋の被係合部３１０は、蓋の係合部４１０と係合しているため上昇できなくなる。換言すると、蓋の被係合部３１０には、下向きの力が作用する。その結果、蓋３には、蓋の被係合部３１０に作用する下向きの力によって、蓋の第１ヒンジＨ１を回動軸とした回転力が作用する。その結果、蓋３は、蓋の第１ヒンジＨ１を回動軸として、開く方向に回動する。
【００４７】
また、内箱２が上昇すると、外箱４に設けられたフラップの係合部４６３と、内箱２に設けられたフラップの被係合部２３０は、係合状態が解除される。具体的には、フラップの被係合部の開口２３２と、フラップの係合部の舌片４６５が徐々に離れていく。係合状態が解除されると、フラップの係合部４６３に作用していた下向きの力が作用しなくなる。その結果、フラップ４６を水平状態に維持するために作用していた下向きの力も作用しなくなる。一方で、内箱２が上昇すると、Ｕ字状の切欠き２３１の両側に位置する内箱の前壁２３の上端縁２３５がフラップ４６と接して、フラップ４６を押し上げる。換言すると、フラップ４６には、内箱の前壁２３の上端縁２３５に作用する上向きの力によって、フラップのヒンジＨ１１を回動軸とした回転力が作用する。その結果、フラップ４６は、フラップのヒンジＨ１１を回動軸として開く方向に回動する。
【００４８】
図５（ｅ）、図６（ｅ）、図７（ｅ）、図８（ｅ）に示すように、全開状態では、内箱の下壁２２が外箱の下壁４２から離れ、内箱２は、内箱２の上部が外箱４内から露出している。
【００４９】
全開状態では、蓋の上壁３２が垂直、又はこれに近い状態である。また、全開状態では、フラップ４６も、垂直、又はこれに近い状態である。全開状態では、内箱２の上部の開口が開放されているため、内箱２内に収容されているシガレットを容易に取り出すことができる。全開状態では、蓋の被係合部３１０と、蓋の係合部４１０は、係合状態である。また、フラップの係合部４６３と、フラップの被係合部２３０は、非係合状態である。
【００５０】
＜＜開状態→閉状態＞＞
次に、開状態から閉状態とする場合について説明する。開状態から閉状態への動作は、先に説明した閉状態から開状態の逆の動作となる。図５（ｅ）、図６（ｅ）、図７（ｅ）、図８（ｅ）に示すように、全開状態では、蓋の上壁３２及びフラップ４６は、垂直、又はこれに近い状態である。また、全開状態では、蓋の被係合部３１０と、蓋の係合部４１０は、係合状態である。また、フラップの係合部４６３と、フラップの被係合部２３０は、非係合状態である。
【００５１】
図５（ｂ）〜（ｄ）、図６（ｂ）〜（ｄ）、図７（ｂ）〜（ｄ）、図８（ｂ）〜（ｄ）に示すように、操作口４５を通じて、例えば親指で内箱２に対して下向きの力を加えると、内箱２が外箱４内で下降し始める。内箱２が下降すると、蓋の被係合部３１０も下降し、蓋の被係合部３１０と、蓋の係合部４１０との係合状態が解除される。具体的には、蓋の被係合部の開口３１４と、蓋の係合部の舌片４１２が徐々に離れていく。係合状態が解除されると、蓋の被係合部３１０に作用していた下向きの力が作用しなくなる。その結果、蓋３を垂直、又はこれに近い状態に維持するために作用していた下向きの力も作用しなくなる。一方で、内箱２が下降すると、外箱の後壁４１の上端縁４１１が蓋の被係合部の上部３１１と接して、蓋の被係合部の上部３１１を押し上げる。被係合部の上部３１１は、蓋３と連なっているため、蓋３には、外箱の後壁４１の上端縁４１１に作用する上向きの力によって、蓋の第１ヒンジＨ１を回動軸とした回転力が作用する。更に、内箱２が下降すると、外箱の後壁４１の上端縁４１１が蓋の被係合部の上部３１１の両側に位置する蓋の後壁３１と接して、蓋３を更に押し上げる。このように、内箱２が下降すると、蓋３には、外箱の後壁４１の上端縁４１１に作用する上向きの力によって、蓋の第１ヒンジＨ１を回動軸とした回転力が作用する。その結果、蓋３は、フラップのヒンジＨ１１を回動軸として、閉じる方向に回動する。
【００５２】
また、内箱２が下降すると、フラップの被係合部２３０も下降する。フラップの被係合部２３０が下降すると、外箱４に設けられたフラップの係合部４６３とフラップの被係合部２３０が徐々に近づき、フラップの被係合部２３０とフラップの係合部４６３が係合する。フラップの被係合部２３０は、フラップの被係合部の開口の一部２３３がフラップの係合部の舌片４６５側に膨らんでおり、フラップの被係合部の開口の一部２３３と折返し片２３４との間には、空隙が形成されている。また、フラップの係合部の舌片４６５の先端は、斜め上方を指している。そのため、フラップの係合部の舌片４６５は、フラップの被係合部の開口の一部２３３と折返し片２３４との間の空隙から、フラップの被係合部の開口２３２内に容易に進入することができる。
【００５３】
フラップの被係合部２３０とフラップの係合部４６３とが係合すると、フラップの係合部４６３には、下向きの力が作用する。その結果、フラップ４６には、フラップの係合部４６３に作用する下向きの力によって、フラップのヒンジＨ１１を回動軸とした回転力が作用する。その結果、フラップ４６は、フラップのヒンジＨ１１を回動軸として、閉じる方向に回動する。
【００５４】
図５（ａ）、図６（ａ）、図７（ａ）、図８（ａ）に示すように、全閉状態では、内箱の下壁２２が外箱の下壁に接するか、近接しており、内箱２は、外箱４内に収容されている。全閉状態では、蓋の上壁３２が水平となり、蓋の上壁３２が内箱２の上部の開口を覆っている。また、蓋の被係合部３１０と、蓋の係合部４１０は、非係合状態であり、フラップの被係合部２３０とフラップの係合部４６３は、係合状態となる。
【００５５】
＜＜ブランク＞＞
パッケージ１は、内箱２及び蓋３を成形する第１ブランクＢ１と、外箱４を成形する第２ブランクＢ２の各所を折り込み、組み立てることで成形することができる。第１ブランクＢ１，第２ブランクＢ２にはカード紙、マニラボール紙等の紙材、又はプラスチックシートなどの樹脂を用いることができるが、これらに限定されるものではない。また、ブランクの説明では、図の上下方向を基準に説明する。
【００５６】
＜＜第１ブランクＢ１＞＞
図９に示すように、第１ブランクＢ１は、内箱２となる内箱区域Ｒ１、蓋３となる蓋区域Ｒ２を有している。内箱区域Ｒ１は、内箱の前壁２３となる内箱の前壁パネルＰ１を有しており、内箱の前壁パネルＰ１の両側縁には、内箱の側壁２４となる内箱の側壁パネルＰ２,Ｐ２が連なっている。また、内箱の前壁パネルＰ１の下縁には、折返し片２３４となる折返しパネルＰ１−１が連なっている。また、内箱の前壁パネルＰ１のうち、折返しパネルＰ１−１の近傍には、フラップの被係合部の開口２３２となる五角形の切欠きＣ１が形成されている。
【００５７】
また、内箱の前壁パネルＰ１の上縁には、内箱の下壁２２となる内箱の下壁（底板）パネルＰ３が連なっている。内箱の下壁パネルＰ３の上縁には、内箱の前壁パネルＰ１とは反対側に位置して内箱の後壁２１となる内箱の後壁パネルＰ４が連なっている。内箱の後壁パネルＰ４には、四角形の切欠き２１１となる切欠きＣ３が形成されている。また、内箱の後壁パネルＰ４の両側縁には、内箱の側壁２４となる内箱のインナサイドフラップＰ５,Ｐ５が連なっている。また、内箱のインナサイドフラップＰ５,Ｐ５の下縁には、内箱のインナボトムフラップＰ６が連なっており、これら内箱のインナボトムフラップＰ６は内箱の下壁パネルＰ３に重ね合わされ、内箱の下壁２２の補強をなす。内箱のインナサイドフラップＰ５,Ｐ５と内箱のインナボトムフラップＰ６との境界には、折り込み易くするための直線状の切欠きＣ２が形成されている。
【００５８】
また、内箱の後壁パネルＰ４には、蓋の第１ヒンジＨ１が形成されている。また、内箱の後壁パネルＰ４の上縁には、蓋区域Ｒ２が連なっている。
【００５９】
蓋区域Ｒ２は、蓋の後壁３１となる蓋の後壁パネルＰ７を有している。蓋の後壁パネルＰ７の上縁には、蓋の第２ヒンジＨ２を介して、蓋の上壁３２となる蓋の上壁パネルＰ８が連なっている。また、蓋の後壁パネルＰ７の両側縁には、蓋の側壁３４となる蓋の側壁パネルＰ９，Ｐ９が連なっている。また、蓋の側壁パネルＰ９，Ｐ９の上縁には、蓋のインナトップフラップＰ１０，Ｐ１０が連なっており、これら蓋のインナトップフラップＰ１０，Ｐ１０は、蓋の上壁パネルＰ８に重ね合わされ、蓋の上壁３２の補強をなす。蓋の側壁パネルＰ９，Ｐ９と蓋のインナトップフラップＰ１０，Ｐ１０との境界には、折り込み易くするための直線状の切欠きＣ５が形成されている。
【００６０】
蓋の上壁パネルＰ８の上縁には、蓋の上壁３２の内側に配置されて蓋の上壁３２を補強する蓋の上壁の補強パネルＰ１１が連なっている。また、蓋の上壁の補強パネルＰ１１の上縁には、蓋の後壁３１の内側に配置されて蓋の後壁パネルＰ７と共に蓋の後壁３１を構成し、かつ、蓋の後壁３１を補強する蓋の後壁の補強パネルＰ１２が連なっている。蓋の上壁の補強パネルＰ１１と蓋の後壁の補強パネルＰ１２との境界には、折り込み易くするための直線状の切欠きＣ６が形成されている。また、蓋の後壁の補強パネルＰ１２の上縁には、内箱の内側プレート２１２となる内箱の内側パネルＰ１３が連なっている。蓋の後壁の補強パネルＰ１２と内箱の内側パネルＰ１３との境界は、蓋の第１ヒンジＨ１の内側に位置する。そのため、蓋の後壁の補強パネルＰ１２と内箱の内側パネルＰ１３との境界には、蓋３が第１ヒンジＨ１を回動軸として回動し易くするための直線状のミシン目が平行に複数配置された切欠きＣ７が形成されている。また、内箱の内側パネルＰ１３の両側縁には、内箱の側壁２４の内側に配置されて内箱の側壁２４の補強をするとともに、内箱の内側プレート２１２の位置を固定する内箱のインナサイドフラップＰ１４，Ｐ１４が連なっている。
【００６１】
また、蓋の上壁パネルＰ８の下縁には、蓋の被係合部３１０となる蓋の被係合フラップＰ１５が連なっている。蓋の被係合フラップＰ１５は、蓋の被係合部の上部３１１となる蓋の被係合部の上部パネルＰ１５−１、蓋の被係合部の中間部３１２となる蓋の被係合部の中間部パネルＰ１５−２、蓋の被係合部の下部３１３となる蓋の被係合部の下部パネルＰ１５−３によって構成されている。蓋の被係合部の上部パネルＰ１５−１と蓋の被係合部の中間部パネルＰ１５−２との境界には、蓋の第３ヒンジＨ３が形成されている。また、蓋の被係合部の中間部パネルＰ１５−２には、逆Ｕ字状の切欠きＣ４が形成されている。
【００６２】
＜＜第２ブランクＢ２＞＞
図１０に示すように、第２ブランクＢ２は、外箱の前壁４３となる外箱の前壁パネルＰ２１を有しており、外箱の前壁パネルＰ２１の両側縁には、外箱の側壁４４となる外箱の側壁パネルＰ２２,Ｐ２２が連なっている。また、外箱の前壁パネルＰ２１には、操作口４５となる切欠きＣ２１が形成されている。操作口４５となる切欠きＣ２１は、その一部が外箱の側壁パネルＰ２２に達している。
【００６３】
外箱の前壁パネルＰ２１の下縁には、フラップ４６となるフラップパネルＰ２３が連なっている。フラップパネルＰ２３は、上から順に、外側フラップ４６１となる外側フラップパネルＰ２３、内側フラップ４６２となる内側フラップパネルＰ２４によって構成されている。内側フラップパネルＰ２４の下縁には、フラップの係合部４６３となるフラップの係合パネルＰ２５が連なっている。フラップの係合パネルＰ２５には、フラップの係合部の開口４６４となる切欠きＣ２２が形成されている。
【００６４】
外箱の前壁パネルＰ２１の上縁には、外箱の下壁４２となる外箱の下壁（底板）パネルＰ２６が連なっている。外箱の下壁パネルＰ２６の上縁には、外箱の前壁パネルＰ２１とは反対側に位置して外箱の後壁４１となる外箱の後壁パネルＰ２７が連なっている。外箱の後壁パネルＰ２７の両側縁には、外箱の側壁４４となる外箱のインナサイドフラップＰ２８,Ｐ２８が連なっている。また、外箱のインナサイドフラップＰ２８,Ｐ２８の下縁には、外箱のインナボトムフラップＰ２９，Ｐ２９が連なっており、これら外箱のインナボトムフラップＰ２９，Ｐ２９は外箱の下壁パネルＰ２６に重ね合わされ、外箱の下壁４２の補強をなす。外箱のインナサイドフラップＰ２８,Ｐ２８と外箱のインナボトムフラップＰ２９，Ｐ２９との境界には、折り込み易くするための直線状の切欠きＣ２３が形成されている。インナサイドフラップＰ２８,Ｐ２８のＣ字状の切欠きは操作口４５となる切欠きＣ２１と干渉しないよう形成されている。
【００６５】
また、外箱の後壁パネルＰ２７の上縁には、蓋の係合部４１０となる蓋の係合パネルＰ３０が連なっている。蓋の係合パネルＰ３０の上縁（中央）には、一部が突出しており、この突出した領域が蓋の係合部の舌片４１２となる。
【００６６】
＜＜内箱と蓋の組立＞＞
図９、図１１に示すように、上述した第１ブランクＢ１は、図９において、破線で示した折り込み線で夫々折り込まれる。その結果、図１から図８に示すような内箱２と蓋３が成形される。第１ブランクＢ１の内箱区域Ｒ１においては、各折り込み線で折り込まれ、内箱のインナボトムフラップＰ６，Ｐ６が内箱の下壁パネルＰ３の内側に重ねられる。また、内箱のインナサイドフラップＰ５，Ｐ５が、内箱の側壁パネルＰ２，Ｐ２の内側に重ねられて接着される。折返しパネルＰ１−１は、内箱の前壁パネルＰ１−１の内側に沿うように折り返される。
【００６７】
また、第１ブランクＢ１の蓋区域Ｒ２においては、各折り込み線で折り込まれ、蓋のインナトップフラップＰ１０，Ｐ１０が内箱の蓋の上壁パネルＰ８の内側に重ねられる。また、蓋の上壁の補強パネルＰ１１が蓋のインナトップフラップＰ１０，Ｐ１０が重ねられた蓋の上壁パネルＰ８の内側に沿うように折り返される。また、蓋の後壁の補強パネルＰ１２が蓋の後壁パネルＰ７に沿うように折り返される。また、内箱の内側パネルＰ１３が内箱の後壁パネルＰ４に沿うように折り返される。また、内箱のインナサイドフラップＰ１４，Ｐ１４が、内箱の側壁パネルＰ２，Ｐ２の内側に重ねられた内箱のインナサイドフラップＰ５，Ｐ５の更に内側に沿うように折り返される。
【００６８】
また、蓋の被係合部の下部パネルＰ１５−３は、下端が外側を向くように折り返される。また、切欠きＣ４の内側の領域（蓋の被係合部の下部３１３の先端）は、内箱の内側パネルＰ１３と内箱の後壁パネルＰ４との間に挿入される。以上により、内箱２、蓋３が成形される。
【００６９】
＜＜外箱と蓋の組立＞＞
図１０、図１２に示すように、上述した第２ブランクＢ２は、図１０において、破線で示した折り込み線で夫々折り込まれる。その結果、図１から図８に示すような外箱４が成形される。第２ブランクＢ２においては、各折り込み線で折り込まれ、外箱のインナボトムフラップＰ２９，Ｐ２９が外箱の下壁パネルＰ２６の内側に重ねられる。また、外箱のインナサイドフラップＰ２８，Ｐ２８が、内箱の側壁パネルＰ２２，Ｐ２２の内側に重ねられて接着される。また、フラップの係合パネルＰ２５が外箱の前壁パネルＰ２１の内側に沿うように折り返される。更に、蓋の係合パネルＰ３０が外箱の後壁パネルＰ２７に沿うように折り返される。これにより、外箱４が成形される。このような外箱４の組立は実際は既に組み立てられた内箱２を覆うように行われる。
【００７０】
＜＜効果＞＞
実施形態に係るパッケージ１は、フラップの係合部４６３、及びフラップの被係合部２３０を備えることで、従来よりも確実にフラップを開閉できる。実施形態に係るパッケージ１では、フラップ４６に連なるフラップの係合部の舌片４６５の先端を上向きとしたことで、フラップの係合部の舌片４６５が、本来の機能を発揮すべき正しい姿勢となり、上向きの姿勢を維持し易くできる。換言すると、フラップの係合部の舌片４６５は、例えば、復元力等によって横向きや下向きになり難くなる。したがって、実施形態に係るパッケージ１では、フラップの係合部の舌片４６５が、本来の機能を発揮する正しい姿勢を維持するので、フラップの係合部４６３とフラップの被係合部２３０との係合が確実に行われる。
【００７１】
また、実施形態に係るパッケージ１では、折返し片２３４が折り返されることで、内箱の前壁２３の上端縁２３５とフラップの被係合部の開口２３２（五角形の切欠き）との間に形成されたフラップの被係合部の開口の一部２３３が外側に僅かに膨らんでいる。その結果、フラップの被係合部の開口の一部２３３と折返し片２３４との間に隙間が形成される。これにより、外箱のフラップの係合部の舌片４６５は、内箱２を下降させた際に、フラップの被係合部の開口２３２に進入し易くなる。その結果、従来よりも確実にフラップを開閉することができる。
【００７２】
また、フラップの係合部の舌片４６５の先端をラウンド形状とすることで強度が増し、また、フラップの係合部の舌片４６５がフラップの被係合部の開口の一部２３３により進入し易くなる。
【００７３】
＜設計例＞
図９に示す第１ブランクＢ１において、例えば、五角形の切欠きＣ１の幅は、１８．０ｍｍ、五角形の切欠きＣ１の底辺から折返しパネルＰ１−１の折返し線までの間隔は、３．０ｍｍとすることができる。また、図１０に示す第２ブランクＢ２において、フラップの係合部の開口４６４となる切欠きＣ２２のラウンド形状部、すなわちフラップの係合部の舌片４６５は、Ｒ１０、フラップの係合部の開口４６４となる切欠きＣ２２の幅は、１６．０ｍｍとすることができる。
【００７４】
上記のように、五角形の切欠きＣ１の幅を切欠きＣ２２の幅よりも大きくすることで、組立誤差が発生した場合でも、フラップの係合部の舌片４６５がフラップの被係合部の開口２３２に容易に進入することができる。また、五角形の切欠きＣ１の底辺から折返しパネルＰ１−１の折返し線までの間隔を３．０ｍｍとすることで、フラップの被係合部の開口の一部２３３がフラップの係合部の舌片４６５側に適度に膨らむため、フラップの係合部の舌片４６５がフラップの被係合部の開口２３２に容易に進入することができる。更に、フラップの係合部の開口４６４となる切欠きＣ２２のラウンド形状部（フラップの係合部の舌片４６５）をＲ１０とすることで、例えば搬送の際の衝撃等でも折れ曲がり難くなり、また、フラップの係合部の舌片４６５がフラップの被係合部の開口２３２に容易に進入することができる。
【００７５】
＜変形例＞
なお、図９に示す第１ブランクＢ１において、折返しパネルＰ１−１の直線状の折返し線の近傍に折れ線からの距離が変化する罫線５を形成してもよい（図１３参照）。その際、折返しパネルＰ１−１は、内箱の前壁パネルＰ１の内側に接着する。罫線５は、一般的な罫線と同じように、紙製品を折り曲げ易くするためのもので、折り目、ミシン目、薄肉によって構成することができる。図１３では、Ｖ字状の罫線５が形成されている。罫線５は、直線状でもよく、また、曲線状でもよい。罫線５を形成した上で折返しパネルＰ１−１の直線状の折返し線で折り返した場合、折返し線６で折り曲げられるとともに罫線５においても折れ曲がる。その結果、折返し線６だけでなく、罫線５においても復元力が発生する。また、折返しパネルＰ１−１は、内箱の前壁パネルＰ１の内側に接着されている。その結果、折返しパネルＰ１−１の直線状の折返し線６の近傍の内部に、罫線が無い場合と比較して強い引張力が作用し、折返しパネルＰ１−１の直線状の折返し線６の近傍、換言すると、フラップの被係合部の開口の一部２３３を外側に撓ませることができる。これにより、フラップの係合部の舌片４６５がフラップの被係合部の開口２３２に容易に進入することができる。
【００７６】
以上、本発明の好適な実施形態を説明したが、本発明に係るパッケージは、可能な限り各実施例を組み合わせて実施することができる。また、本実施形態では、パッケージに収容する被収容物の好適な適用例として、フィルタシガレットや両切シガレット等のたばこ商品を挙げたが、これには限定されず、たばこ商品以外の物品をパッケージに収容してもよい。
【符号の説明】
【００７７】
１・・・パッケージ
２・・・内箱
３・・・蓋
４・・・外箱
４６・・・フラップ
２３０・・・フラップの被係合部
２３２・・・フラップの被係合部の開口
３１０・・・蓋の被係合部
３１１・・・蓋の被係合部の上部
３１２・・・蓋の被係合部の中間部
３１３・・・蓋の被係合部の下部
４１０・・・蓋の係合部
４１２・・・蓋の係合部の舌片
４６３・・・フラップの係合部
４６４・・・フラップの係合部の開口
４６５・・・フラップの係合部の舌片
【図１】
2016030995.tif 000003
【図２】
2016030995.tif 000004
【図３】
2016030995.tif 000005
【図４】
2016030995.tif 000006
【図５】
2016030995.tif 000007
【図６】
2016030995.tif 000008
【図７】
2016030995.tif 000009
【図８】
2016030995.tif 000010
【図９】
2016030995.tif 000011
【図１０】
2016030995.tif 000012
【図１１】
2016030995.tif 000013
【図１２】
2016030995.tif 000014
【図１３】
2016030995.tif 000015
【国際調査報告】
2016030995.tif 000016
2016030995.tif 000017
2016030995.tif 000018
2016030995.tif 000019